(57)【要約】   本発明は、携帯性および使用性を向上させた多用途カバー支持台に関し、バインダー１０によりバインドされる前面カバー２０と、フィーラページ部３０と、後面カバー４０とを含み、前面カバー２０の下端には第１鉄片２１が設けられ、後面カバー４０は、第１および２折り曲げ線（４０ａ、４０ｂ）により区画されるメイン後面カバー４２、第１サブ後面カバー４３、および第２サブ後面カバー４４で構成され、第２サブ後面カバー４４の下端には第１鉄片２１が付着された第１磁石片４１が設けられていることを特徴とする。
2009507676.tif 000002
【特許請求の範囲】
【請求項１】
バインダー１０によりバインドされる前面カバー２０と、フィーラページ部３０と、後面カバー４０とを含み、
前記前面カバー２０の下端には第１鉄片２１が設けられ、
前記後面カバー４０は、第１および２の折り曲げ線（４０ａ、４０ｂ）により区画されるメイン後面カバー４２、第１サブ後面カバー４３および第２サブ後面カバー４４で構成され、前記第２サブ後面カバー４４の下端には前記第１鉄片２１が付着される第１磁石片４１が設けられることを特徴とする携帯性および使用性を向上させた多用途カバー支持台。
【請求項２】
前記第１鉄片２１から所定間隔離隔された地点の前記前面カバー２０には、
まず前記第１折り曲げ線４０ａに沿って第１サブ後面カバー４３が前記メイン後面カバー４２から折り曲げられた後、次いで前記第２折り曲げ線４０ｂに沿って前記第２サブ後面カバー４４が前記第１サブ後面カバー４３から折り曲げられる場合、前記第２サブ後面カバー４４に設けられた前記磁石片４１が付着される第２鉄片２２が設けられることを特徴とする請求項１に記載の携帯性および使用性を向上させた多用途カバー支持台。
【請求項３】
前記メイン後面カバー４２には、前記第１および２サブ後面カバー（４３、４４）が折り曲げられると前記磁石片４１が付着される第３鉄片４５が設けられることを特徴とする請求項１に記載の携帯性および使用性を向上させた多用途カバー支持台。
【請求項４】
前記第２サブ後面カバー４４'は、前記メイン後面カバー４２の幅より小さく形成され、この場合、前記第２サブ後面カバー４４'が前記前面カバー２０に一層確実に付着されるよう、前記前面カバー２０と前記第２サブ後面カバー４４'に別途の付着部材（４６ａ、４６ｂ）をさらに設けることを特徴とする請求項１に記載の携帯性および使用性を向上させた多用途カバー支持台。
【請求項５】
前記バインダー１０側の前面カバー２０と後面カバー４０の端部には、前記フィーラページ部３０が見えないようにするためのカバー端２４が連結されていることを特徴とする請求項１に記載の多用途カバー支持台。
【請求項６】
前記カバー端２４は、前記前面カバー２０と後面カバー４０との開閉に応じて折り曲げられるようにシワ状に形成されることを特徴とする請求項５に記載の多用途カバー支持台。
【請求項７】
バインダー１１０によりバインドされる前面カバー１２０と、フィーラページ部１３０と、後面カバー１４０とを含み、
前記前面カバー１２０の下端には第１磁石片１２１が設けられ、
前記後面カバー１４０は、第１および２の折り曲げ線（１４０ａ、１４０ｂ）により区画されるメイン後面カバー１４２、第１サブ後面カバー１４３および第２サブ後面カバー１４４で構成され、前記２サブ後面カバー１４４の下端には、前記第１磁石片１２１が付着される鉄片１４１が設けられることを特徴とする携帯性および使用性を向上させた多用途カバー支持台。
【請求項８】
前記第１磁石片１２１から所定間隔離隔された地点の前記前面カバー１２０には、
まず前記第１の折り曲げ線１４０ａに沿って第１サブ後面カバー１４３が前記メイン後面カバー１４２から折り曲げられた後、次いで前記第２の折り曲げ線１４０ｂに沿って前記第２サブ後面カバー１４４が前記第１サブ後面カバー１４３から折り曲げられる場合、前記第２サブ後面カバー１４４に設けられた前記鉄片１４１が付着される第２磁石片１２２が設けられることを特徴とする請求項７に記載の携帯性および使用性を向上させた多用途カバー支持台。
【請求項９】
前記メイン後面カバー１４２には、前記第１および２のサブ後面カバー（１４３、１４４）が折り曲げられると前記鉄片１４１が付着される第３磁石片１４５が設けられることを特徴とする請求項７に記載の携帯性および使用性を向上させた多用途カバー支持台。
【請求項１０】
前記第２サブ後面カバー１４４'は、前記メイン後面カバー１４２の幅より小さく形成され、この場合、前記第２サブ後面カバー１４４'が前記前面カバー１２０に一層確実に付着されるように、前記前面カバー１２０と前記第２サブ後面カバー１４４'に別途の付着部材（１４６ａ、１４６ｂ）をさらに形成することを特徴とする請求項７に記載の携帯性および使用性を向上させた多用途カバー支持台。
【請求項１１】
前記バインダー１１０側の前面カバー１２０と後面カバー１４０の端部には、前記フィーラページ部１３０が見えないようにするためのカバー端１２４が連結されていることを特徴とする請求項７に記載の多用途カバー支持台。
【請求項１２】
前記カバー端１２４は、前記前面カバー１２０と後面カバー１４０との開閉に応じて折り曲げられるようにシワ状に形成されることを特徴とする請求項１１に記載の多用途カバー支持台。
【請求項１３】
バインダー（２１０、３１０）によりバインドされる前面カバー（２２０、３２０）と、フィーラページ部（２３０、３３０）と後面カバー（２４０、３４０）を含み、
前記後面カバー（２４０、３４０）は、折り曲げ線（２４０ａ、３４０ａ）により区画されるメイン後面カバー（２４２、３４２）とサブ後面カバー（２４３、３４３）で構成されることを特徴とする多用途カバー支持台。
【請求項１４】
前記メイン後面カバー（２４２、３４２）の下部側には水平方向に段差が形成されることにより、そのメイン後面カバー（２４２、３４２）より薄い厚さを有する段差部（２４２ａ、３４２ａ）が形成され、
前記サブ後面カバー（２４３、３４３）が折り曲げ線（２４０ａ、３４０ａ）に沿って折り曲げられると前記段差部（２４２ａ、３４２ａ）に重なることを特徴とする請求項１３に記載の携帯性および使用性を向上させた多用途カバー支持台。
【請求項１５】
前記サブ後面カバー２４３の端部には、前記前面カバー２２０の端部が挿入されるように端面が凹状に形成された挿入片２４４が設けられることを特徴とする請求項１４に記載の携帯性および使用性を向上させた多用途カバー支持台。
【請求項１６】
前記サブ後面カバー３４３の端部と前記前面カバー３２０の端部のいずれか一方には第１磁性体が設けられ、前記サブ後面カバー３４３の端部と前記前面カバー３２０の端部のもう一つには前記第１磁性体に付着される第２磁性体が設けられることを特徴とする請求項１４に記載の携帯性および使用性を向上させた多用途カバー支持台。
【請求項１７】
前記第１および２磁性体のいずれか一つは磁石で、もう一つは鉄片であることを特徴とする請求項１６に記載の携帯性および使用性を向上させた多用途カバー支持台。
【請求項１８】
前記鉄片は、前記サブ後面カバー３４３の端部または前面カバー３２０の端部のいずれか一つに挿入されるクリップ形状を有することを特徴とする請求項１７に記載の携帯性および使用性を向上させた多用途カバー支持台。
【請求項１９】
前記バインダー（２１０、３１０）側の前面カバー（２２０、３２０）と後面カバー（２４０、３４０）の端部には、前記フィーラページ部（２３０、３３０）が見えないようにするためのカバー端（２２４、３２４）が連結されることを特徴とする請求項１４〜請求項１８のいずれか一項に記載の携帯性および使用性を向上させた多用途カバー支持台。
【請求項２０】
前記カバー端（２２４、３２４）は、前記前面カバー（２２０、３２０）と後面カバー（２４０、３４０）との開閉に応じて折り曲げられるようにシワ状に形成されることを特徴とする請求項１９に記載の携帯性および使用性を向上させた多用途カバー支持台。
【請求項２１】
バインダー（４１０、５１０）によりバインドされる前面カバー（４２０、５２０）と、フィーラページ部（４３０、５３０）と後面カバー（４４０、５４０）を含み、
前記前面カバー（４２０、５２０）は、折り曲げ線（４２０ａ、５２０ａ）により区画されるメイン前面カバー（４２２、５２２）とサブ前面カバー（４２３、５２３）とで構成され、
前記後面カバー（４４０、５４０）は、折り曲げ線（４４０ａ、５４０ａ）により区画されるメイン後面カバー（４４２、５４２）とサブ後面カバー（４４３、５４３）とで構成されることを特徴とする携帯性および使用性を向上させた多用途カバー支持台。
【請求項２２】
前記メイン前面カバー（４２２、５２２）の下部側に水平方向に段差が形成されることにより、そのメイン前面カバー（４２２、５２２）より薄い厚さを有する段差部（４２２ａ、５２２ａ）が形成され、前記サブ前面カバー（４２３、５２３）が前記折り曲げ線（４２０ａ、５２０ａ）に沿って折り曲げられると前記段差部（４２２ａ、５４２ａ）に重なり、
前記メイン後面カバー（４４２、５４２）の下部側に水平方向に段差が形成されることにより、そのメイン後面カバー（４４２、５４２）より薄い厚さを有する段差部（４４２ａ、５４２ａ）が形成され、前記サブ後面カバー（４４３、５４３）が折り曲げ線（４４０ａ、５４０ａ）に沿って折り曲げられると前記段差部（４４２ａ、５４２ａ）に重なることを特徴とする請求項２１に記載の携帯性および使用性を向上させた多用途カバー支持台。
【請求項２３】
前記サブ前面カバー４２３の端部とサブ後面カバー４４３の端部のいずれか一方には第１磁性体が設けられ、また他の一方には前記第１磁性体に付着される第２磁性体が設けられることを特徴とする請求項２２に記載の携帯性および使用性を向上させた多用途カバー支持台。
【請求項２４】
前記第１および２の磁性体のいずれか一つは磁石で、もう一つは鉄片であり、前記鉄片は、前記サブ前面カバー４２３の端部またはサブ後面カバー４４３の端部のいずれか一つに挿入されるクリップ形状を有することを特徴とする請求項２３に記載の携帯性および使用性を向上させた多用途カバー支持台。
【請求項２５】
前記サブ前面カバー５２３の内部とサブ後面カバー５４３の内部のいずれか一方には第１磁性体が設けられ、また他の一方には前記第１磁性体に付着される第２磁性体が設けられることを特徴とする請求項２２に記載の携帯性および使用性を向上させた多用途カバー支持台。
【請求項２６】
前記バインダー（４１０、５１０）側の前記前面カバー（４２０、５２０）と、後面カバー（４４０、５４０）の端部には、前記フィーラページ部（４３０、５３０）が見えないようにするためのカバー端（４２４、５２４）が連結されることを特徴とする請求項２３〜請求項２５のいずれか一項に記載の多用途カバー支持台。
【請求項２７】
前記カバー端（４２４、５２４）は、前記前面カバー（４２０、５２０）と後面カバー（４４０、５４０）との開閉に応じて折り曲げられるようにシワ状に形成されることを特徴とする請求項２６に記載の多用途カバー支持台。
【請求項２８】
バインダー６１０によりバインドされる前面カバー６２０と、フィーラページ部６３０と、後面カバー６４０とを含み、
前記前面カバー６２０には第１磁石片６２１が設けられ、
前記後面カバー６４０の下端には、第１および２の折り曲げ線（６４０ａ、６４０ｂ）に沿って折り曲げられ、前記第１後面カバー６４０より小さな幅を有する第１および２のサブ後面カバー（６４３、６４４）が連結され、
前記第２サブ後面カバー６４３の端部には前記第１磁石片６２１に付着される第１鉄片６４１が設けられることを特徴とする携帯性および使用性を向上させた多用途カバー支持台。
【請求項２９】
前記前面カバー６２０の下端には、前記鉄片６４１が付着される第２磁石片６２２が設けられることを特徴とする請求項２８に記載の携帯性および使用性を向上させた多用途カバー支持台。
【請求項３０】
前記前面カバー６２０の下端には、前記鉄片６４１が内蔵されるようにクリップ形状の第２鉄片６２３が設けられることを特徴とする請求項２９に記載の携帯性および使用性を向上させた多用途カバー支持台。
【請求項３１】
前記バインダー６１０側の前記前面カバー６２０と後面カバー６４０の端部には、前記フィーラページ部６３０が見えないようにするためのカバー端６２４が連結されることを特徴とする請求項２９または請求項３０のいずれか一項に記載の携帯性および使用性を向上させた多用途カバー支持台。
【請求項３２】
前記カバー端６２４は、前記前面カバー６２０と後面カバー６４０との開閉に応じて折り曲げられるようにシワ状に形成されることを特徴とする請求項３１に記載の携帯性および使用性を向上させた多用途カバー支持台。
【発明の詳細な説明】
【技術分野】
【０００１】
本発明は、携帯性および使用性を向上させた多用途カバー支持台に関する。
【背景技術】
【０００２】
例えば、スケジューラは、日程管理、メモ、アドレス、電話番号などを記載できる各種フォームのメモ紙と、各種有用な情報として地図、地下鉄路線といった情報を盛り込んだ路線図が印刷されたフィーラページ部を有しており、会社員や学生などの人々に広く利用されている。
【０００３】
一方、カレンダーは、通常、週単位または月単位のページを介在して２枚の厚い板紙を前カバーおよび後カバーとして製本したもので、前カバーと後カバーを広げると全体が三角形の台形状となって机の上などに立てて使用している。
【０００４】
上記スケジューラやカレンダーは、実生活や仕事上で非常に有用性が高く、広く利用されている。
【０００５】
ところが、このようなスケジューラとカレンダーが各々別々の品物として販売されており不便であった。例えば、家庭やオフィスなどでカレンダーに重要な日程や記念日、約束などをメモしておく場合が多いが、カレンダー自体を携帯することは不便で、外出先や移動中にカレンダーにメモしておいた約束や日程をチェックできず、別途にスケジューラに約束や日程をさらにメモしなければならないという不便がある。さらに、スケジューラは、カレンダーが印刷されているページがあるが、オフィスなどの机の上で立てて使用することができないという欠点があった。
【発明の開示】
【発明が解決しようとする課題】
【０００６】
そこで、本発明は上記従来の問題点に鑑みてなされたものであって、本発明の目的は、スケジューラとカレンダーの機能を兼用できる、携帯性および使用性を向上させた多用途カバー支持台を提供することである。
【０００７】
本発明の他の目的は、メモ帳やノート、名刺帳や住所録、本やアルバムにも適用することができ、これらの携帯性および使用性を向上させた多用途カバー支持台を提供することである。
【課題を解決するための手段】
【０００８】
上記目的を達成するための本発明による携帯性および使用性を向上させた多用途カバー支持台の一実施例は、バインダー１０によりバインドされる前面カバー２０と、フィーラページ部３０と後面カバー４０を含み、前記前面カバー２０の下端には第１鉄片２１が設けられ、前記後面カバー４０は、第１および２の折り曲げ線（４０ａ、４０ｂ）により区画されるメイン後面カバー４２、第１サブ後面カバー４３および第２サブ後面カバー４４で構成され、前記第２サブ後面カバー４４の下端には前記第１鉄片２１が付着された第１磁石片４１が設けられていることを特徴とする。
【０００９】
上記の目的を達成するための本発明による携帯性および使用性を向上させた多用途カバー支持台の他の実施例は、バインダー１１０によりバインドされる前面カバー１２０と、フィーラページ部１３０と後面カバー１４０を含み、前記前面カバー１２０の下端には第１磁石片１２１が設置されており、前記後面カバー１４０は、第１および２の折り曲げ線（１４０ａ、１４０ｂ）により区画されるメイン後面カバー１４２、第１サブ後面カバー１４３および第２サブ後面カバー１４４で構成され、前記第２サブ後面カバー１４４の下端には前記第１磁石片１２１が付着された鉄片１４１が設置されていることを特徴とする。
【００１０】
上記の目的を達成するための本発明による携帯性および使用性を向上させた多用途カバー支持台のまた他の実施例は、バインダー（２１０、３１０）によりバインドされる前面カバー（２２０、３２０）と、フィーラページ部（２３０、３３０）および後面カバー（２４０、３４０）を含み、前記後面カバー（２４０、３４０）は、折り曲げ線（２４０ａ、３４０ａ）により区画されるメイン後面カバー（２４２、３４２）とサブ後面カバー（２４３、３４３）で構成されることを特徴とする。
【００１１】
本発明において、前記メイン後面カバー（２４２、３４２）の下部側には水平方向に段差が形成されており、そのメイン後面カバー（２４２、３４２）より薄い厚さを有する段差部（２４２ａ、３４２ａ）が形成され、前記サブ後面カバー（２４３、３４３）を折り曲げ線（２４０ａ、３４０ａ）に沿って折り曲げると、前記段差部（２４２ａ、３４２ａ）に重なる。
【００１２】
本発明において、前記サブ後面カバー２４３の端部には、前記前面カバー２２０の端部が挿入されるように端面が凹状を有する挿入片２４４が形成されている。
【００１３】
本発明において、前記サブ後面カバー３４３の端部と前記前面カバー３２０の端部のいずれか一方には第１磁性体が形成され、前記サブ後面カバー３４３の端部と前記前面カバー３２０の端部のまた他の一方には前記第１磁性体に付着された第２磁性体が形成される。
【００１４】
上記の目的を達成するために、本発明による携帯性および使用性を向上させた多用途カバー支持台の他の実施例は、バインダー（４１０、５１０）によりバインドされる前面カバー（４２０、５２０）と、フィーラページ部（４３０、５３０）および後面カバー（４４０、５４０）を含み、前記前面カバー（４２０、５２０）は、折り曲げ線（４２０ａ、５２０ａ）により区画されるメイン前面カバー（４２２、５２２）とサブ前面カバー（４２３、５２３）とで構成され、前記後面カバー（４４０、５４０）は、折り曲げ線（４４０ａ、５４０ａ）により区画されるメイン後面カバー（４４２、５４２）とサブ後面カバー（４４３、５４３）とで構成されることを特徴とする。
【００１５】
本発明において、前記メイン前面カバー（４２２、５２２）の下部側に水平方向に段差が形成されることにより、そのメイン前面カバー（４２２、５２２）より薄ら厚さを有する段差部（４２２ａ、５２２ａ）が形成され、前記サブ前面カバー（４２３、５２３）を前記折り曲げ線（４２０ａ、５２０ａ）に沿って折り曲げると、前記段差部（４２２ａ、５４２ａ）に重なり、前記メイン後面カバー（４４２、５４２）の下部側に水平方向に段差が形成されることによりそのメイン後面カバー（４４２、５４２）より薄い厚さを有する段差部（４４２ａ、５４２ａ）が形成され、前記サブ後面カバー（４４３、５４３）を折り曲げ線（４４０ａ、５４０ａ）に沿って折り曲げると、前記段差部（４４２ａ、５４２ａ）に重なる。
【００１６】
本発明において、前記サブ前面カバー４２３の端部とサブ後面カバー４４３の端部のいずれか一方には第１磁性体が設けられ、前記サブ前面カバー４２３の端部とサブ後面カバー４４３の端部の他の一方には前記第１磁性体に付着された第２磁性体が設けられる。
【００１７】
本発明において、前記サブ前面カバー５２３の内部とサブ後面カバー５４３の内部のいずれか一方には第１磁性体が設けられ、前記サブ前面カバー５２３の内部とサブ後面カバー５４３の内部の他の一方には前記第１磁性体に付着された第２磁性体が設けられる。
【００１８】
上記の目的を達成するために、本発明による携帯性および使用性を向上させた多用途カバー支持台のまた他の実施例は、バインダー６１０によりバインドされる前面カバー６２０と、フィーラページ部６３０および後面カバー６４０を含み、前記前面カバー６２０には第１磁石片６２１が形成され、前記後面カバー６４０の下端には、第１および２の折り曲げ線（６４０ａ、６４０ｂ）に沿って折り曲げられ、前記第１後面カバー６４０より小さな幅を有する第１および２のサブ後面カバー（６４３、６４４）が連結され、前記第２サブ後面カバー６４３の端部には前記第１磁石片６２１に付着される第１鉄片６４１が設けられることを特徴とする。
【００１９】
本発明において、前記前面カバー６２０の下端には前記鉄片６４１が付着できる第２磁石片６２２が設けられる。この場合、前記前面カバー６２０の下端には前記鉄片６４１を内蔵するようにクリップ形態の第２鉄片６２３が設けられる。
【発明を実施するための最良の形態】
【００２０】
以下、本発明に係る携帯性および使用性を向上させた多用途カバー支持台を図面を参照しながら詳細に説明する。
【００２１】
図１は、本発明による携帯性および使用性を向上させた多用途カバー支持台の第１実施例の斜視図である。図２は、図１の携帯性および使用性を向上させた多用途カバー支持台を立てた状態を説明する図面である。図３は、図１の携帯性が向上した多機能多用途カバー支持台において、携帯のために第２サブ後面カバーが前面カバーに重なる状態を説明する図面である。図４は、図１の携帯性および使用性を向上させた多用途カバー支持台において、頻繁な使用のために第１および２サブ後面カバーがメイン後面カバーに重なる状態を説明する図面である。図５は、図１の携帯性および使用性を向上させた多用途カバー支持台において。第２サブ後面カバーの幅がメイン後面カバーの幅より小さいことを説明する図面である。
【００２２】
図示するように、本発明による携帯性および使用性を向上させた多用途カバー支持台は、リングバインダーやコイルのようなバインダー１０によりバインドされる前面カバー２０と、フィーラページ部３０および後面カバー４０を含む。
【００２３】
フィーラページ部３０は、前面カバー２０が前面に配置され、後面カバー４０が裏面に配置された状態で、バインダー１０がこれら上部に形成された締結孔を貫通して互いにバインドされる。本実施例では、バインダー１０としてコイルスプリングを図示したが、バインダーはこれ以外の材料を使用することも可能である。
【００２４】
フィーラページ部３０には、模様が印刷された前表紙フィーラページや、カレンダーを月単位または週単位で印刷したカレンダーフィーラページや、特別な案内メッセージ、例えば、会社や職場の事務空間でよく発生する一般的な状況を適当に案内するメッセージとして“ただ今会議中です”、“外出中です”、“出張中です”のようなメッセージを印刷した案内フィーラページや、メモを書くことができるメモフィーラページや、筆記をするためのノートフィーラページや、電話番号等を記録することができる電話番号フィーラページや、アドレスを記録することができるアドレスフィーラページや、記念にしたい写真、絵などを挿入することができるアルバムフィーラページや、地図などを印刷した地図フィーラページなどがある。さらに、フィーラページ部３０は、詩や瞑想録などを印刷した本にすることも可能である。
【００２５】
前面カバー２０の下端には第１鉄片２１が設けられており、第１鉄片２１の上部には第２鉄片２２が設けられている。図面では、第１鉄片２１および第２鉄片２２が長いバー状の磁性体として示されているが、ボタン形状、特定の幾何学的形状などにすることもでき、前面カバー２０に完全に内蔵させたり、露出させてもよい。
【００２６】
後面カバー４０の下端には第１鉄片２１に付着される磁石片４１が設けられている。図面では、磁石片４１が長いバー状の磁性体として示されているが、ボタン形状、特定の幾何学的形状などにすることもでき、後面カバー４０の下端に完全に内蔵させたり、露出させてもよい。特に、上記第１鉄片２１をクリップ形態に形成するとより美しい外観を得ることができる。
【００２７】
後面カバー４０は、第１および２の折り曲げ線（４０ａ、４０ｂ）により区画されるメイン後面カバー４２と、第１サブ後面カバー４３と、第２サブ後面カバー４４で構成される。前記磁石片４１は、第２サブ後面カバー４４の下端に設けられる。
【００２８】
本実施例における第１および２サブ後面カバー（４３、４４）は、メイン後面カバー４２と同じ幅となっているが、第１および２のサブ後面カバー（４３、４４）は、メイン後面カバー４２より小さな幅に形成することができる。
【００２９】
一方、メイン後面カバー４２には、第１および２のサブ後面カバー（４３、４４）が折り曲がると磁石片４１が付着される第３鉄片４５が設けられている。図面では、第３鉄片４５が長いバー状の磁性体として示されているが、ボタン形状、特定の幾何学的形状などに形成することもでき、メイン後面カバー４２に完全に内蔵させたり、露出させてもよい。
【００３０】
ここで、第２サブ後面カバー４４'は、図５に示されているように、メイン後面カバー４２の幅より小さく形成することもできる。この場合、第２サブ後面カバー４４'を前面カバー２０に一層確実に付着させることができるように前面カバー２０と第２サブ後面カバー４４'に別途の付着部材（４６ａ、４６ｂ）を取り付けることもできる。このような別途の付着部材（４６ａ、４６ｂ）は、雄ボタンおよび雌ボタンや、着脱可能なベルクロや、他の磁石や鉄片にしてもよい。
【００３１】
ここで、前面カバー２０および後面カバー４０は、机の上に立てるためにはある程度の堅固性が必要であり、比較的堅固性が高く製造費用も安価なポリプロピレン（polypropylene）、通称PP）を射出して製造するか、或いはアクリル、ハードボードのようなペーパ、プラスチック、アルミニウム、木材などを使用する。さらに、高級な感じにするため、前後面カバー（２０、４０）が審美感を有するようにカバーを覆う天然革や合成革、布地を含むこともできる。
【００３２】
また、前面カバー２０や後面カバー４０の内側にカードや名刺、身分証明書などを入れることができるように多様な大きさのポケットを形成してもよい。
【００３３】
図５では第２サブ後面カバー４４'が第１サブ後面カバー４３より小さく形成されているが、これは説明のための実施例に過ぎず、第１サブ後面カバー４３も第２サブ後面カバー４４'のように幅を小さくすることも可能である。
【００３４】
図６は、図１の携帯性が向上した多機能多用途カバー支持台において、フィーラページ部が見えないようにするためのカバー端を説明する図面である。
【００３５】
一方、バインダー１０側の前面カバー２０と後面カバー４０の端部にはフィーラページ部３０が見えないようにするためのカバー端２４が連結されており、カバー端２４は、前面カバー２０と後面カバー４０の開閉に応じて折り曲げられるようにシワ状に形成されることが好ましい。また、カバー端２４は、バインダー１０の内側に前面カバー２０と後面カバー４０の端部に連結されるが、バインダー１０の外側に連結されることも可能である。このようなカバー端２４を採用することにより、本発明のカバー支持台の全体的な外観を高級な感じにすることができる。
【００３６】
上記のような構造の多用途カバー支持台の第１実施例の動作を説明する。
【００３７】
本発明の多用途カバー支持台を机の上に立てて使用する場合は、図２に示すように、第１折り曲げ線４０ａに沿ってメイン後面カバー４２で折り曲げられた第１および２のサブ後面カバー（４３、４４）を開いた後、第２サブ後面カバー４４に設けられた磁石片４１を前面カバー２０の下端に形成されている第１鉄片２１に付着させる。このようにして多用途カバー支持台は、側部から見て三角形状に立てることができる。
【００３８】
本発明の多用途カバー支持台を携帯する場合は、図３に示すように、まず第１の折り曲げ線４０ａに沿って第１サブ後面カバー４３をメイン後面カバー４２から折り曲げた後、次いで第２の折り曲げ線４０ｂに沿って第２サブ後面カバー４４を第１サブ後面カバー４３から折り曲げる。その後、第２サブ後面カバー４４に設けられた磁石片４１を前面カバー２０の第１鉄片上部に設けられた第２鉄片２２に付着させる。この場合、図３では第２サブ後面カバー４４が前面カバー２０の外側に付着されているが、第２サブ後面カバー４４が前面カバー２０の内側に付着されることも可能である。
【００３９】
本発明の多用途カバー支持台を頻繁に使用する場合は、図４に示したように、第１および２のサブ後面カバー（４３、４４）を第１の折り曲げ線４０ａに沿って折り曲げてメイン後面カバー４２に重ねる。この状態で前面カバー２０を容易に開くことができる。
【００４０】
すなわち、本発明の多用途カバー支持台のフィーラページ部３０をアルバムフィーラページとする場合、折り曲げた状態ではアルバムとして使用し、立てると卓上用フレームとして使用できる。
【００４１】
本発明の多用途カバー支持台のフィーラページ部３０を本とする場合は、本をカレンダーのように立てて使用することができるので、外観を美しくして本の効用性を高めたり、読書の便利性が向上する。
【００４２】
本発明の多用途カバー支持台のフィーラページ部３０をノートとする場合、ノートと本支持台との機能を兼備することができるので、本を読む際に首を前に曲げたり手で握る必要がなく便利である。
【００４３】
この他にも、銀行や保険会社、金融関連会社などで顧客に商品を説明する際に、顧客と対座して顧客が社員と同時に同じ内容を見ることができ、名刺帳、住所録、その他オフィス用として広く使用することができる。
【００４４】
次に、本発明による多用途カバー支持台の第２実施例を説明する。
【００４５】
図７は、本発明による携帯性および使用性を向上させた多用途カバー支持台の第２実施例の斜視図である。図８は、図７の携帯性および使用性を向上させた多用途カバー支持台において、第２サブ後面カバーの幅がメイン後面カバーの幅より小さいことを説明するための図面である。
【００４６】
図示するように、本発明による多用途カバー支持台の第２実施例は、第１実施例と同様に、バインダー１１０、前面カバー１２０、フィーラページ部１３０および後面カバー１４０を含む。
【００４７】
前面カバー１２０の下端には第１磁石片１２１が設けられており、第１磁石片１２１の上部には第２磁石片１２２が設けられている。図面では第１磁石片１２１および第２磁石片１２２が長いバー状の磁性体として示されているが、ボタン形状、特定の幾何学形状などに形成することもでき、前面カバー２０に完全に内蔵させたり、露出させてもよい。
【００４８】
後面カバー１４０の下端には第１磁石片１２１に付着される鉄片１４１が設けられている。図面では、鉄片１４１が長いバー状に形成されているが、ボタン形状、特定の幾何学形状などに形成することもでき、後面カバー１４０の下端に完全に内蔵させたり露出させてもよい。
【００４９】
後面カバー１４０は、第１および第２の折り曲げ線（１４０ａ、１４０ｂ）により区画されるメイン後面カバー１４２と、第１サブ後面カバー１４３と、第２サブ後面カバー１４４で構成され、鉄片１４１は、第２サブ後面カバー１４４の下端に設けられる。
【００５０】
本実施例では、第１および２のサブ後面カバー（１４３、１４４）はメイン後面カバー１４２と同じ幅に形成されているが、第１および２のサブ後面カバー（１４３、１４４）は、メイン後面カバー１４２より小さな幅に形成することも可能である。
【００５１】
一方、メイン後面カバー１４２には第１および２のサブ後面カバー（１４３、１４４）が折り曲げられて重なると鉄片１４１が付着される第３磁石片１４５が設けられている。図面では、第３磁石片１４５もまた長いバー状の磁性体として示されているが、ボタン形状、特定の幾何学形状などに形成することもでき、メイン後面カバー１４２に完全に内蔵させたり露出させてもよい。
【００５２】
ここで、第２サブ後面カバー１４４'は、第１実施例の図５のように、第１サブ後面カバー１４３の幅より小さく形成することもでき、別途の付着部材（１４６ａ、１４６ｂ）をさらに形成することも可能である。このような別途の付着部材（１４６ａ、１４６ｂ）は、雄ボタンおよび雌ボタンや、着脱可能なベルクロや、他の磁石や鉄片にしてもよい。
【００５３】
そして、バインダー１１０側の前面カバー１２０と後面カバー１４０の端部には、フィーラページ部１３０が見えないようにするため、図６のようにカバー端１２４が連結されることができ、カバー端１２４は、前面カバー１２０と後面カバー１４０の開閉に応じて折り曲げられるようにシワ状に形成されることが好ましい。
【００５４】
上記のような多用途カバー支持台の第２実施例の動作は実質的に第１実施例と同様であるので詳しい説明は省略する。
【００５５】
次に、本発明による多用途カバー支持台の第３実施例を説明する。
【００５６】
図９は、本発明による携帯性および使用性を向上させた多用途カバー支持台の第３実施例の斜視図である。図１０は、図９の携帯性および使用性を向上させた多用途カバー支持台を立てる状態を説明するための図面である。図１１は、図９の携帯性が向上した多機能多用途カバー支持台において、携帯のためにサブ後面カバーが段差部に重なる状態を説明するための図面である。
【００５７】
図示するように、本発明による多用途カバー支持台の第３実施例は、第１および第２実施例と同様のバインダー２１０、前面カバー２２０、フィーラページ部２３０および後面カバー２４０を含む。
【００５８】
後面カバー２４０は、折り曲げ線２４０ａにより区画されるメイン後面カバー２４２とサブ後面カバー２４３とで構成される。ここで、サブ後面カバー２４３の端部には前面カバー２２０の端部が挿入されるように端面が凹状を有する挿入片２４４が設けられる。
【００５９】
また、メイン後面カバー２４２の下部側には水平方向に段差が形成されることによりメイン後面カバー２４２より薄い厚さを有する段差部２４２ａが形成される。段差部２４２ａは、サブ後面カバー２４３が折り曲げ線２４０ａに沿って折り曲げられて重なった状態で後面カバー２４０の背面全体がフィーラページ部２３０に密着するようにするもので、このためにサブ後面カバー２４３の厚さと段差部２４２ａの厚さとを合計すると、全体厚さがメイン後面カバー２４２の厚さと同じになるようにする。本実施例では、段差部２４２ａを使用上の便利性や審美性のために形成したが、製造者の判断で使用しないこともでき、且つ、サブ後面カバー２４３が折れ曲がる方向はメイン後面カバー２４２の内、外のいずれであってもよい。
【００６０】
さらに、バインダー２１０側の前面カバー２２０と後面カバー２４０の端部にはフィーラページ部２３０が見えないようにするため、図６のようにカバー端２２４が連結されることもでき、カバー端２２４は、前面カバー２２０と後面カバー２４０の開閉に応じて折れ曲がるようにシワ状に形成されることが好ましい。
【００６１】
上記の構造を有する多用途カバー支持台の第３実施例の動作を説明する。
【００６２】
本発明の多用途カバー支持台を机の上に立てて使用する場合は、図１０に示すように、折り曲げ線２４０ａに沿ってメイン後面カバー２４２からサブ後面カバー２４３を開いた後、前面カバー２２０の下端をサブ後面カバー２４３に形成された挿入片２４４に挿入する。これにより多用途カバー支持台が側部から見て三角形状に立てることができる。
【００６３】
本発明の多用途カバー支持台を携帯する場合は、図１１に示すように、折り曲げ線２４０ａに沿ってサブ後面カバー２４３をメイン後面カバー２４２の段差部２４２ａに重ねる。この場合、段差部２４２ａの厚さはメイン後面カバー２４２の厚さより薄いので、サブ後面カバー２４３が段差部２４２ａに重なると、メイン後面カバー２４２の厚さと同じになる。このため、段差部２４２ａにサブ後面カバー２４３が重なっていれば、後面カバー２４０の背面全体がフィーラページ部２３０と密着し、これによって携帯性が良くなる。
【００６４】
この他の機能は第１及び第２実施例で説明したものと同様であるので詳細な説明は省略する。
【００６５】
次に、本発明による多用途カバー支持台の第４実施例を説明する。
【００６６】
図１２は、本発明による携帯性および使用性を向上させた多用途カバー支持台の第４実施例の斜視図である、図１３は、図１２の携帯性が向上した多機能多用途カバー支持台において、携帯のためにサブ後面カバーが段差部に重なる状態を説明するための図面である。
【００６７】
図示したように、本発明による多用途カバー支持台の第４実施例は、第１および第２実施例と同様に、バインダー３１０、前面カバー３２０、フィーラページ部３３０および後面カバー３４０を含む。ここで、後面カバー３４０は、折り曲げ線３４０ａにより区画されるメイン後面カバー３４２とサブ後面カバー３４３とで構成される。
【００６８】
サブ後面カバー３４３の端部と前面カバー３２０の端部のいずれか一方には第１磁性体が設けられ、サブ後面カバー３４３の端部と前面カバー３２０の端部の他の一方には第１磁性体に付着される第２磁性体が設けられる。ここで、第１および２の磁性体のいずれか一つは磁石で、他の一つは鉄片であり、鉄片はサブ後面カバー３４３の端部または前面カバー３２０の端部のいずれか一つに挿入されるクリップ形状を有することが好ましい。さらに、第１および２の磁性体は、互いに付着するようにN極とS極が対向する磁石であってもよい。
【００６９】
本実施例では、前面カバー３２０の端部に磁性体としてクリップ形状の鉄片３２１が設けられており、サブ後面カバー３４３の端部に磁性体として磁石片３４１が設けられている。
【００７０】
また、メイン後面カバー３４２の下部側には水平方向に段差が形成されることにより、メイン後面カバー３４２より薄い厚さを有する段差部３４２ａが形成される。段差部３４２ａは、サブ後面カバー３４３が折り曲げ線３４０ａに沿って折り曲げられた重なった状態で後面カバー３４０の背面全体がフィーラページ部３３０と密着するようにするもので、このためにサブ後面カバー３４３の厚さと段差部３４２ａの厚さとを合計すると、全体厚さがメイン後面カバー３４２の厚さと同じになるようにする。
【００７１】
本実施例において段差部２４２ａは、使用上の便利性や審美性のために形成したが、形成しないこともできる。また、サブ後面カバー３４３は、メイン後面カバー３４２と同じ幅に形成したが、サブ後面カバー３４３の幅をメイン後面カバー３４２より小さく形成することも可能である。
【００７２】
本発明の多用途カバー支持台を携帯する場合は、図１３に示したように、折り曲げ線３４０ａに沿ってサブ後面カバー３４３をメイン後面カバー３４２の段差部３４２ａに重ねる。ここで、段差部３４２ａの厚さはメイン後面カバー３４２の厚さより薄いので、サブ後面カバー３４３が段差部３４２ａに重なると、メイン後面カバー３４２の厚さと同じになる。よって、段差部３４２ａにサブ後面カバー３４３が重なった状態では、後面カバー３４０の背面全体がフィーラページ部３３０と密着し、このため携帯性が良くなる。
【００７３】
さらに、バインダー３１０側の前面カバー３２０と後面カバー３４０の端部にはフィーラページ部３３０が見えないようにするために図６に示したように、カバー端３２４が連結されることができ、カバー端３２４は、前面カバー３２０と後面カバー３４０の開閉に応じて折り畳まれるようにシワ状に形成されることが好ましい。
【００７４】
次に、本発明による多用途カバー支持台の第５実施例を説明する。
【００７５】
図１４は、本発明による携帯性および使用性を向上させた多用途カバー支持台の第５実施例の斜視図である。図１５は、図１４の携帯性および使用性を向上させた多用途カバー支持台が立てられる状態を説明するための図面である。図１６は、図１５の携帯性が向上した多機能多用途カバー支持台において、携帯のためにサブ前面カバーおよびサブ後面カバーが段差部にそれぞれ重なる状態を説明するための図面である。
【００７６】
図示するように、本発明による多用途カバー支持台の第５実施例は、第１および第２、３実施例と同様に、バインダー４１０、前面カバー４２０、フィーラページ部４３０および後面カバー４４０を含む。
【００７７】
ここで、前面カバー４２０は、折り曲げ線４２０ａにより区画されるメイン前面カバー４２２とサブ前面カバー４２３とで構成される。メイン前面カバー４２２の下部側に水平方向に段差が形成されることにより、そのメイン前面カバー４２２より薄い厚さを有する段差部４２２ａが形成され、サブ前面カバー４２３が折り曲げ線４２０ａに沿って折り曲げられると段差部４２２ａに重なる。
【００７８】
後面カバー４４０は折り曲げ線４４０ａにより区画されるメイン後面カバー４４２とサブ後面カバー４４３とで構成される。ここで、メイン後面カバー４４２の下部側に水平方向に段差が形成されることにより、そのメイン後面カバー４４２より薄い厚さを有する段差部４４２ａが形成され、サブ後面カバー４４３が折り曲げ線４４０ａに沿って折り曲げられると段差部４４２ａに重なる。
【００７９】
本実施例で段差部（４２２ａ、４４２ａ）は使用上の便利性や審美性のために形成したが、形成しなこともできる。また、サブ前後面カバー（４２３、４４３）は、メイン前後面カバー（４２２、４４２）と同じ幅に形成されているが、サブ前後面カバー（４２３、４４３）の幅はメイン前後面カバー（４２２、４４２）より小さな幅に形成することも可能である。
【００８０】
サブ前面カバー４２３の端部とサブ後面カバー４４３の端部のいずれか一方には第１磁性体が設けられ、サブ前面カバー４２３の端部とサブ後面カバー４４３の端部の他の一方には第１磁性体に付着される第２磁性体が設けられる。ここで第１および２の磁性体のいずれか一つは磁石で、もう一つは鉄片であり、鉄片はサブ前面カバー４２３の端部またはサブ後面カバー４４３の端部のいずれか一つに挿入されるクリップ形状を有することが好ましい。さらに、第１および２の磁性体は、互いに付着されるようにN極とS極が対向する磁石であることも可能である。本実施例では、前面後面カバー４２３の端部に磁性体としてクリップ形状の鉄片４２１が設けられ、サブ後面カバー４４３の端部に磁性体として磁石片４４１が設けられる。
【００８１】
さらに、バインダー４１０側の前面カバー４２０と後面カバー４４０の端部にはフィーラページ部４３０が見えないようにするために図６に示すように、カバー端４２４が連結されることもでき、カバー端４２４は前面カバー４２０と後面カバー４４０の開閉に応じて折り曲げられるようにシワ状に形成されることが好ましい。
【００８２】
上記の構造を有する多用途カバー支持台の第３実施例の動作を説明する。
【００８３】
本発明の多用途カバー支持台を机の上に立てて使用する場合は、折り曲げ線（４２０ａ、４４０ａ）に沿ってメイン前面カバー４２２およびメイン後面カバー４４２の各々からサブ前面カバー４２３およびサブ後面カバー４４３を折り曲げた後、サブ前面カーブ４２３の端部およびサブ後面カバー４４３の端部に設けられた鉄片２４１と磁石片４４１を互いに接着させると、多用途カバー支持台は図１５に示したように、側部から見て三角形状に立てることができる。
【００８４】
メイン前面カバー４２２の下部側には水平方向に段差が形成されることにより、メイン前面カバー４２２より薄い厚さを有する段差部４２２ａが形成される。段差部４２２ａは、サブ前面カバー４２３が折り曲げ線４２０ａに沿って折り曲げられて重なった状態で前面カバー４２０の背面全体がフィーラページ部４３０と密着するようにするもので、このためにサブ後面カバー４４３の厚さと段差部４２２ａの厚さとを合計すると全体厚さがメイン前面カバー４２２の厚さと同じになるようにする。
【００８５】
メイン後面カバー４４２の下部側には水平方向に段差が形成されることにより、メイン後面カバー４４２より薄い厚さを有する段差部４４２ａが形成される。段差部４４２ａはサブ後面カバー４４３が折り曲げ線４４０ａに沿って折り曲げられて重なった状態で後面カバー４４０の背面全体がフィーラページ部４３０と密着するようにするもので、このためにサブ後面カバー４４３の厚さと段差部４４２aの厚さとを合計すると、全体厚さがメイン後面カバー４４２の厚さと同じになるようにする。
【００８６】
本発明の多用途カバー支持台を携帯する場合は、図１６に示すように、折り曲げ線（４２０ａ、４４０ａ）を中心にサブ前面カバー４２３とサブ後面カバー４４３の各々をメイン前面カバー４２２とメイン後面カバー４４２の段差部（４２２ａ、４４２ａ）に重ねる。ここで、段差部（４２２ａ、４４２ａ）の厚さはメイン前面カバー４２２およびメイン後面カバー４４２の厚さより薄いので、サブ前面カバー４２３およびサブ後面カバー４４３各々が段差部（４２２ａ、４４２ａ）に重なると、メイン前面カバー４２２およびメイン後面カバー４４２の厚さと同じになる。よって、段差部（４２２ａ、４４２ａ）各々にサブ前面カバー４２３およびサブ後面カバー４４３が重なる状態では、前面カバー４２０および後面カバー４４０の背面全体がフィーラページ部４３０と密着し、このため携帯性が良くなる。
【００８７】
次に、本発明による多用途カバー支持台の第６実施例を説明する。
【００８８】
図１７は、本発明による携帯性および使用性を向上させた多用途カバー支持台の第６実施例の斜視図である。図１８は、図１７の携帯性および使用性を向上させることができる多用途支持台が立てられる状態を説明する図面である。
【００８９】
図示するように、本発明による多用途カバー支持台の第６実施例は、第１および２、３、４、５実施例と同様に、バインダー５１０、前面カバー５２０、フィーラページ部５３０および後面カバー５４０を含む。
【００９０】
ここで、前面カバー５２０は第５実施例と同様に、折り曲げ線５２０ａにより区画されるメイン前面カバー５２２とサブ前面カバー５２３とで構成される。メイン前面カバー５２２の下部側に水平方向に段差が形成されることにより、そのメイン前面カバー５２２より薄い厚さを有する段差部５２２ａが形成され、サブ前面カバー５２３が折り曲げ線５２０ａに沿って折り曲げられると段差部５２２ａに重なる。
【００９１】
また、後面カバー５４０は折り曲げ線５４０ａにより区画されるメイン後面カバー５４２とサブ後面カバー５４３とで構成される。ここで、メイン後面カバー５４２の下部側に水平方向に段差が形成されることにより、そのメイン後面カバー５４２より薄い厚さを有する段差部５４２ａが形成され、サブ後面カバー５４３が折り曲げ線５４０ａに沿って折り曲げられると段差部５４２ａに重なる。
【００９２】
本実施例で段差部（５２２ａ、４２ａ）は、使用上の便利性や審美性のために形成されたが、形成しないこともできる。また、サブ前後面カバー（５２３、５４３）は、メイン前後面カバー（５２２、５４２）と同じ幅に形成されているが、サブ前後面カバー（５２３、５４３）の幅はメイン前後面カバー（５２２、５４２）より小さな幅に形成することも可能である。
【００９３】
第６実施例では、第１および２の磁性体がサブ前面カバー５２３およびサブ後面カバー５４３の端部でなくサブ前面カバー５２３およびサブ後面カバー５４３の内部に完全に内蔵されて外部から見えないように設置することもできる。ここで、第１および２の磁性体のいずれか一つは磁石であり、もう一つは鉄片であるが、第１および２の磁性体は、互いに付着されるようにN極とS極が対向する磁石であることも可能である。本実施例では、前面後面カバー４５３の端部に磁性体として鉄片５２１が設けられ、サブ後面カバー５４３の端部に磁性体として磁石片５４１が設けられている。
【００９４】
また、バインダー５１０側の前面カバー５２０と後面カバー５４０の端部にはフィーラページ部５３０が見えないようにするために図６に示したようにカバー端５２４が連結されることができ、カバー端５２４は、前面カバー５２０と後面カバー５４０との開閉に応じて折り畳まれるようにシワ状に形成されることが好ましい。
【００９５】
上記の構造を有する本発明の多用途カバー支持台を机の上に立てて使用する場合は、折り曲げ線（５２０ａ、５４０ａ）に沿ってメイン前面カバー５４２およびメイン後面カバー５４２各々からサブ前面カバー５２３およびサブ後面カバー５４３を折れ曲げた後、サブ前面カーブ５２３とサブ後面カバー５４３を重ねると、それぞれのサブ前面カバー５２３およびサブ後面カバー５４３に内蔵された鉄片５２１と磁石片５４１が互いに付着され、多用途カバー支持台は図１８に示したように、側部から見て三角形状に立てることができる。
【００９６】
次に、本発明による多用途カバー支持台の第７実施例を説明する。
【００９７】
図１９は、本発明による携帯性および使用性を向上させた多用途カバー支持台の第７実施例の斜視図である。
【００９８】
図示するように、本発明による多用途カバー支持台の第７実施例は、第１および２、３、４、５実施例と同様に、バインダー６１０、前面カバー６２０、フィーラページ部６３０および後面カバー６４０を含む。
【００９９】
前面カバー６２０には第１磁石片６２１が設けられ、後面カバー６４０の下端には第１および２の折り曲げ線（６４０ａ、６４０ｂ）により折り曲げられ第１後面カバー６４０より小さな幅を有する第１および２のサブ後面カバー（６４３、６４４）が連結されており、第２サブ後面カバー６４３の端部には第１磁石片６２１に付着された第１鉄片６４１が設けられる。ここで、前面カバー６２０の下端には第１鉄片６４１が付着される第２磁石片６２２が設けられ、前面カバー６２０の下端には鉄片６４１が内蔵されるようにクリップ形状の第２鉄片６２３が設けられる。さらに、バインダー６１０側の前面カバー６２０と後面カバー６４０の端部にはフィーラページ部６３０が見えないようにするために図６に示したようにカバー端６２４が連結されることができ、カバー端６２４は前面カバー６２０と後面カバー６４０との開閉に応じて折り曲げられるようにシワ状に形成されることが好ましい。
【０１００】
ここで、前面カバー６２０に第１磁石片６２１を設け、第２サブ後面カバー６４３に第１磁石片６２１に付着される第１鉄片６４１を形成したが、第１磁石片６２１および第１鉄片６４１は、互いに着脱可能なボタンにすることもでき、磁石片に付着するものとして鉄片ではなく磁石を使用することもできる。
【０１０１】
また、第１および２のサブ後面カバー（６４３、６４４）が第１後面カバー６４０より小さな幅に形成されたが、第１後面カバー６４０と同じ幅に形成することも可能である。
【０１０２】
上記の構造を有する多用途カバー支持台の動作は、前述の実施例と同様であるので詳細な説明は省略する。
【０１０３】
上記第１〜第７実施例において、前面カバーと後面カバールをバインドするバインダーとしてコイルスプリングを使用したが、コイルスプリングを代替できる様々な構造を使用することができる。
【０１０４】
また、上記第１〜第７実施例による本発明は、フィーラページの種類によってカレンダー、ダイアリー、アルバム、本、ノート、各種のサンプルホルダー（タイルや壁紙など）、名刺台がなど様々な製品に適用することができる。
【０１０５】
以上、本発明の好ましい実施形態について詳細に説明したが、本発明の権利範囲はこれに限定されず、請求の範囲で定義している本発明の基本概念を利用した当業者の多様な変形および改良形態も本発明の権利範囲に属するものである。
【産業上の利用可能性】
【０１０６】
以上のように、本発明による携帯性および使用性を向上させた多用途カバー支持台によれば、必要に応じて様々な機能を有するスケジューラや卓上用カレンダー、またはメモ帳やノート、名刺帳や住所録、本やアルバムなどに適用することができて、これらの携帯性および使用性を向上させることができる。
また、多用途カバー支持台を特定形態に維持するための着脱可能な鉄片や磁石片を前面カバーと後面カバー内部に完全に内蔵する場合、外部から見えないので、全体的な形態をシンプルかつ高級な感じにすることができるという効果がある。
【図面の簡単な説明】
【０１０７】
【図１】本発明による携帯性および使用性を向上させた多用途カバー支持台の第１実施例の斜視図。
【図２】図１の携帯性および使用性を向上させた多用途カバー支持台を立てた状態を説明する図。
【図３】図１の携帯性が向上した多機能多用途カバー支持台において、携帯のために第２サブ後面カバーが前面カバーに重なる状態を説明する図。
【図４】図１の携帯性および使用性を向上させた多用途カバー支持台において、頻繁な使用のために第１および２のサブ後面カバーがメイン後面カバーに重なる状態を説明する図。
【図５】図１の携帯性および使用性を向上させた多用途カバー支持台において、第２サブ後面カバーの幅がメイン後面カバーの幅より小さいことを説明する図。
【図６】図１の携帯性が向上した多機能多用途カバー支持台において、フィーラページ部が見えないようにするためのカバー端を説明する図。
【図７】本発明による携帯性および使用性を向上させた多用途カバー支持台の第２実施例の斜視図。
【図８】図７の携帯性および使用性を向上させた多用途カバー支持台において、第２サブ後面カバーの幅がメイン後面カバーの幅より小さいことを説明する図。
【図９】本発明による携帯性および使用性を向上させた多用途カバー支持台の第３実施例の斜視図。
【図１０】図９の携帯性および使用性を向上させた多用途カバー支持台を立てた状態を説明する図。
【図１１】図９の携帯性が向上した多機能多用途カバー支持台において、携帯のためにサブ後面カバーが段差部に重なる状態を説明する図。
【図１２】本発明による携帯性および使用性を向上させた多用途カバー支持台の第４実施例の斜視図。
【図１３】図１２の携帯性が向上した多機能多用途カバー支持台において、携帯のためにサブ後面カバーが段差部に重なる状態を説明する図。
【図１４】本発明による携帯性および使用性を向上させた多用途カバー支持台の第５実施例の斜視図。
【図１５】図１４の携帯性および使用性を向上させた多用途カバー支持台を立てた状態を説明する図。
【図１６】図１５の携帯性が向上した多機能多用途カバー支持台において、携帯のためにサブ前面カバーおよびサブ後面カバーが段差部にそれぞれ重なる状態を説明する図。
【図１７】本発明による携帯性および使用性を向上させた多用途カバー支持台の第６実施例の斜視図。
【図１８】図１７の携帯性および使用性を向上させた多用途カバー支持台を立てた状態を説明する図。
【図１９】本発明による携帯性および使用性を向上させた多用途カバー支持台の第７実施例の斜視図。
【図２０】図１９の携帯性が向上した多機能多用途カバー支持台において、携帯のために第２サブ後面カバーが前面カバーに重なる状態を説明する図。
【図１】
2009507676.tif 000003
【図２】
2009507676.tif 000004
【図３】
2009507676.tif 000005
【図４】
2009507676.tif 000006
【図５】
2009507676.tif 000007
【図６】
2009507676.tif 000008
【図７】
2009507676.tif 000009
【図８】
2009507676.tif 000010
【図９】
2009507676.tif 000011
【図１０】
2009507676.tif 000012
【図１１】
2009507676.tif 000013
【図１２】
2009507676.tif 000014
【図１３】
2009507676.tif 000015
【図１４】
2009507676.tif 000016
【図１５】
2009507676.tif 000017
【図１６】
2009507676.tif 000018
【図１７】
2009507676.tif 000019
【図１８】
2009507676.tif 000020
【図１９】
2009507676.tif 000021
【図２０】
2009507676.tif 000022
【国際調査報告】
2009507676.tif 000023
2009507676.tif 000024